(57)【特許請求の範囲】
【請求項１】
被検眼の視野測定処理を行なう視野測定システムに含まれ、外部の制御端末からの制御に基づき前記視野測定処理の主要部分を実行する電子機器において、
前記視野測定処理の主要部分として前記制御端末からの制御に基づき視野測定のための視標呈示制御を行なうことにより前記視野測定システム全体を自動視野計として動作させる制御部と、
商用電源から入力した商用電源電圧を前記制御端末に対して供給するサービスアウトレットと、
前記サービスアウトレットから前記制御端末へ給電される電流値を検出する電流検出回路を有し、
前記電流検出回路を介して検出される電流値に応じて前記制御部を動作させる電源部への給電を制御することを特徴とする電子機器。
【請求項２】
前記視野測定システムを構成する周辺機器に対して商用電源から入力した商用電源電圧を供給するサービスアウトレットを設けたことを特徴とする請求項１に記載の電子機器。
【請求項３】
前記商用電源と前記サービスアウトレットの間に両者を絶縁する絶縁トランスを設けたことを特徴とする請求項１に記載の電子機器。
【請求項４】
前記制御端末からの制御に応じて電源部への給電、前記制御端末に給電するサービスアウトレット、および前記周辺機器に対して給電するサービスアウトレットへの商用電源電圧出力を制御することを特徴とする請求項１または２に記載の電子機器。
【請求項５】
視野測定のための視標呈示輝度補正データを格納する記憶手段を有し、前記電源部への給電開始に応じて前記記憶手段に格納された視標呈示輝度補正データを前記制御端末に送信することを特徴とする請求項４に記載の電子機器。
【発明の詳細な説明】
【０００１】
【発明の属する技術分野】
本発明は電子機器、特に被検眼の視野測定処理を行なう視野測定システムに含まれ、外部の制御端末からの制御に基づき前記視野測定処理の主要部分を実行する電子機器に関するものである。
【０００２】
【従来の技術】
従来より医療機器の電子化が進んでおり、視野計のような眼科検査装置もその例外ではない。視野計の検査は、視野ドーム中にスポットを照明したり、あるいはＬＥＤ表示を行なうなどの方法で視標を呈示し、被検者に応答スイッチなどを操作させ被検者の応答を記録するものであるが、近年では視標の呈示パターンや順序などをあらかじめプログラムしておき、視標呈示および応答入力の記録を（半）自動的に行なえるようにした自動視野計が知られている。
【０００３】
【発明が解決しようとする課題】
従来の電子機器としての自動視野計の多くは検査用の制御装置を組み込んだ専用装置であり、構造が複雑で製造コストが高い問題があった。
【０００４】
自動視野計を簡単安価に提供する方策の１つとして、近年著しく普及しているＰＣ（パーソナルコンピュータ）を利用し、自動視野計の制御部および検査データのファイリング装置として用いる構成が考えられる。視野計のハードウェア部分は眼科検査装置としては比較的単純なものであり、また、ＰＣとの間のインターフェースもＵＳＢ（Ｕｎｉｖｅｒｓａｌ  Ｓｅｒｉａｌ  Ｂｕｓ）など性能も充分で容易に利用できる手段が普及しており、さらにＰＣはこの種の検査が必要な医療現場に既に存在しており容易に流用できることから、ＰＣを利用して自動視野計を構成すれば、検査システムを安価に提供できると考えられる。
【０００５】
このようなＰＣを利用した情報処理システムで問題となるのは、電源の問題である。
【０００６】
通常、この種の情報処理システムでは、ＰＣ、および、プリンタ、モニタその他の周辺機器は別個に電源を持ち、それぞれの電源スイッチで独立して電源のオン／オフを行なう必要がある。したがって、ユーザの電源管理は面倒で、またシステムを構成するある機器の電源を入れ忘れてシステムを正常に稼働できなくなったり、また電源の切り忘れなどもしばしば起きる。このような問題は、自動視野計のような医療機器に限らず、外部の制御端末とともに動作する電子機器に共通するものである。
【０００７】
なお、一般の電子機器の電源には電気機器取締法などの法規により漏れ電流や絶縁に関して満足すべき基準があり、また、特に視野計のような医療機器の電源には、ＪＩＳ  Ｔ１００１など別途の基準が定められている。したがって、自動視野計のような電子機器では当然ながら、漏れ電流を防止、あるいは所定の絶縁基準を満足するため、商用電源の入力側に絶縁トランスを挿入しなければならない。
【０００８】
本発明の課題は、上記の問題を解決し、制御端末および電子機器から構成される視野測定システム全体の電源の管理を容易に行なえ、視野測定システム全体を適切に運用できるようにすることにある。
【０００９】
【課題を解決するための手段】
上記の課題を解決するため、本発明によれば、被検眼の視野測定処理を行なう視野測定システムに含まれ、外部の制御端末からの制御に基づき前記視野測定処理の主要部分を実行する電子機器において、前記視野測定処理の主要部分として前記制御端末からの制御に基づき視野測定のための視標呈示制御を行なうことにより前記視野測定システム全体を自動視野計として動作させる制御部と、商用電源から入力した商用電源電圧を前記制御端末に対して供給するサービスアウトレットと、前記サービスアウトレットから前記制御端末へ給電される電流値を検出する電流検出回路を有し、前記電流検出回路を介して検出される電流値に応じて前記制御部を動作させる電源部への給電を制御する構成を採用した。
【００１０】
【発明の実施の形態】
以下、図を参照して本発明の実施の形態を説明する。
【００１１】
図１は本発明に係る自動視野計システムの全体構成を示している。図１の自動視野計システムは自動視野計のハードウェア部分を独立させた視野計ドーム２０と、視野測定プログラムを実行するとともにファイリング装置として機能するＰＣ１０から構成されている。
【００１２】
ＰＣ１０はマウス１１、ディスプレイ１５、キーボード１６などを有する一般的な構成のもので、図１ではノートパソコンの形態を図示しているが、デスクトップ形式のものであってもかまわない。ＰＣ１０には、プリンタ１２およびモニタ１３が周辺機器として所定のインターフェースを介して接続されている。これらの周辺機器は主に情報出力用のものであるが、必要に応じて他の装置が接続されていてよい。また、ＰＣ１０は、モデムやイーサネット（商標名）などのネットワークインターフェース（不図示）を有し、これらネットワークインターフェースを介して他の機器と測定データを交換／共有できる。
【００１３】
図２に視野計ドーム２０の構成を詳細に示す。視野計ドーム２０の筐体２０ａ内には半球面状（３００ｍｍφ程度）の内部ドーム２３が設けられており、内部ドーム２３の内面にはＬＥＤ３６、ＣＣＤカメラ３９が配置されている。
【００１４】
ＬＥＤ３６は、視野測定のための視標（白色）を呈示するために複数（視野検査の仕様に応じて１００〜２００個程度）が所定の位置に配置され、そのうちの幾つかは固視方向誘導用の固視標（赤色）を兼用する。図４はＬＥＤ３６の装着状態を示しており、図示のようにＬＥＤ３６（３ｍｍφ程度）はドーム基部３８に設けた開口中に固定され、その上を拡散シート３７が覆っている。
【００１５】
また、図５に示すようにＣＣＤカメラ３９も同様にドーム基部３８の開口部から被検者（被検眼）方向を向くように配置されるが、ＣＣＤカメラ３９の場合は拡散シート３７を図示のように切り欠いてある。
【００１６】
再び図２において、視野計ドーム２０の筐体２０ａ前面の開口部２０ｂの周囲の内側には、内部ドーム２３の視野面を照明する背景輝度制御用のＬＥＤ２４が配置される。ＬＥＤ２４はむらなく内部ドーム２３内面を所定の背景輝度に制御するために複数設けられている。
【００１７】
さらに開口部２０ｂに面して被検者２の顔を位置決めする額当て２５、およびあご台２６が配置されている。あご台２６の位置は、ノブ２８（左右動）、２９（上下動）により上下左右に調節することができる。ノブ２８（左右動）、２９（上下動）とあご台２６はモータ（ソレノイド）ドライブ機構あるいは純機械的な機構によりノブ２８、２９と連動している。なお、あご台２６が被検眼の左右のいずれを測定する位置にあるかはリミットスイッチなどにより検出できるものとする。
【００１８】
また、被検眼前方に補正レンズを挿入するため、補正レンズ枠２７が開口部２０ｂに面して設けられている。この補正レンズ枠２７には、視度調整用の補正レンズを装着できる。補正レンズ枠２７を被検眼前方にポップアップするか否かは不図示の操作機構により制御でき、補正レンズを挿入しているか否かはリミットスイッチなどにより検出できるものとする。
【００１９】
視野測定においては、被検者２は視標が見えているか否かを示すために応答スイッチ３０を操作する。本実施形態では応答スイッチ３０はケーブルを介して視野計ドーム２０の筐体２０ａから引き出してあるが、もちろん筐体２０ａ前面などに固定されていてもよく、また後述の第７図に示すようにＰＣ１０側に接続されていてもよい。
【００２０】
ＰＣ１０と視野計ドーム２０のインターフェース方式は任意であるが、本実施形態ではＵＳＢを用いている。図２において符号５１は、ＰＣ１０（あるいは他の機器）と接続するためのＵＳＢコネクタである。ＵＳＢコネクタ５１の数は任意である（図２では２個設けてある）。
【００２１】
本実施形態の自動視野計システムの特徴は、従来一体の専用装置であった自動視野計をその主要部分である視野計ドーム２０と制御端末としてのＰＣ１０に分離し、ＰＣ１０で視野計ドーム２０の動作を制御するようにし、さらに、視野計ドーム２０にＰＣ１０（あるいはさらにプリンタ１２やモニタ１３などの周辺機器）にＡＣ電源を供給するサービスアウトレット２１、２２を設けた点である。
【００２２】
すなわち、本実施形態において、視野計ドーム２０は自動視野計システムの一部を構成し、しかも視野測定の主要な情報処理を行なうための中核をなすハードウェアであるが、この視野計ドーム２０にサービスアウトレット２１、２２を設けて視野計ドーム２０を制御するソフトウェアを塔載した制御端末としてのＰＣ１０にＡＣ電源を供給する点に特徴がある。
【００２３】
また、後述のように視野計ドーム２０を制御するソフトウェアを塔載した制御端末としてのＰＣ１０への給電状態に応じて、あるいはＰＣ１０の制御により、視野計ドーム２０およびサービスアウトレット２１、２２から給電を受ける機器へのＡＣ出力を制御できるように構成した点も特徴である。
【００２４】
すなわち、図１、図２のサービスアウトレット２１はプラグ３１を介して商用交流電源から入力されたＡＣ電圧をＰＣ１０に給電するメインのサービスアウトレットである。また、サービスアウトレット２２はプリンタ１２やモニタ１３などの周辺機器に給電するサービスアウトレットとして設けたものである（図１、図２ではサービスアウトレット２２は２個設けてあるが、その数は任意である）。
【００２５】
図３に視野計ドーム２０の電源廻りの構成例を示す。図３において、破線の内側が視野計ドーム２０内に設けられたＡＣ電源系の回路であり、プラグ３１から入力された商用交流入力（ＡＣ１００Ｖ：電圧は任意）はまず絶縁トランス３２に入力される。絶縁トランス３２の２次側のラインは、視標や背景のためのＬＥＤの点灯制御を行なう視野計ドーム２０の制御部３４に接続されるとともに、サービスアウトレット２１、２２に接続され、サービスアウトレット２１、２２を介してＰＣ１０（のＡＣアダプタ１４）およびプリンタ１２やモニタ１３に給電される。制御部３４およびサービスアウトレット２２への給電は、後述のリレー３３を介して行なわれる。
【００２６】
絶縁トランス３２は、ＪＩＳ  Ｔ１００１などに規定された医療機器の漏れ電流やノイズを遮断するためのもので、その変圧比は１：１（ただし必要に応じて変圧比は任意）である。また、絶縁トランス３２の電流容量は、サービスアウトレット２１、２２に接続されるＰＣ１０および周辺機器に給電するのに充分なものとする。このように絶縁トランス３２を設けることにより、自動視野計システムの電源全体の仕様を医療機器に要求される漏れ電流やノイズの条件を満足するように統一することができる。
【００２７】
さらに、図３の構成では、ＰＣ１０側への給電状態により、視野計ドーム２０の制御部３４およびサービスアウトレット２１、２２を介した周辺機器への給電を制御できるようにしてある。
【００２８】
すなわち、ＰＣ１０に給電するサービスアウトレット２１に向かうラインには電流検出回路３５が挿入されており、この電流検出回路３５の電流検出値に応じてリレー３３を開閉するようになっている。
【００２９】
電流検出回路３５は、ＰＣ１０への給電状態に応じて出力端子Ａを制御する。すなわち、ＰＣ１０が通常動作できる電流がサービスアウトレット２１に向かって流れていれば出力端子Ａを介してリレー３３の端子Ｂ１およびＢ２間と、Ｃ１およびＣ２間を閉成し、ＰＣ１０の主電源が遮断（あるいはサスペンド）されサービスアウトレット２１への出力が低下すると出力端子Ａを介してリレー３３の端子Ｂ１およびＢ２間と、Ｃ１およびＣ２間を開放するよう制御する。このような動作はサービスアウトレット２１へのラインの電流を検出する電流検出手段と、その検出値をしきい値と比較することなどにより行なえる。
【００３０】
このような構成により、自動視野計システムを制御する制御端末としてのＰＣ１０の主電源投入に応じてシステム全体の電源を入れ、また、ＰＣ１０の主電源遮断に応じてシステム全体の電源を切ることができる。
【００３１】
なお、電流検出回路３５の検出タイミングとリレー３３の動作タイミングは完全に同期している必要はなく、遅延回路などを介してリレー３３の動作タイミングを遅延させるような制御を行なってもよい（たとえばＰＣ１０の主電源遮断に応じてシステム全体の電源を切る場合）。
【００３２】
図６、図７に視野計ドーム２０の制御部３４のそれぞれ異なる構成例を示す。図６、図７において前述の視標および固視標呈示用のＬＥＤ３６はＬＥＤ駆動部４５、ＬＥＤコントロール部４６を介してＣＰＵ４１に接続される。
【００３３】
ＣＰＵ４１は、後述のＵＳＢ４７（あるいはさらに４８）を介してＰＣ１０と通信し、ＰＣ１０からの指令に基づきＬＥＤ駆動部４５、ＬＥＤコントロール部４６を介してＬＥＤ３６を制御し、視標および固視標呈示を制御する。ＣＰＵ４１の制御プログラムはＲＯＭ４４に格納される。
【００３４】
なお、ＲＯＭ４４には、ＬＥＤすなわち、背景輝度制御用のＬＥＤ２４、あるいはさらに視野測定用ＬＥＤ３６の点灯輝度を視野測定の基準を満足するように補正するための補正データを格納しておく。この輝度補正データは出荷前にあらかじめ各ＬＥＤの輝度を実測することにより作成し、ＲＯＭ４４（あるいは後に調整可能なようにＥＥＰＲＯＭなどの書き換え可能なメモリ素子）に格納しておく。
【００３５】
また、ＣＰＵ４１は、後述のＣＣＤカメラ３９あるいはＵＳＢカメラ５０で撮影した画像をＵＳＢ４７（あるいはさらに４８）を介してＰＣ１０に適当なフレームレートで送信する。ＰＣ１０はＵＳＢ４７（あるいはさらに４８）を介して受信した画像をディスプレイ１５に表示し、検者はこの画像（図６、図７中の１５ａ）により被検眼の固視状態を監視することができる。
【００３６】
さらにＣＰＵ４１には、あご台の位置（左右）を検出するあご台スイッチ４２、前述の補正レンズが挿入されているか否かを検出する補正レンズスイッチ４３が不図示のＩ／Ｏポートを介して接続されており、ＣＰＵ４１はこれらのスイッチの状態を検出することができる。
【００３７】
前述の応答スイッチ３０は、図６ではスイッチ４２、４３と同様にＣＰＵ４１に接続されているが、図７では変換ボックス４９を介してＰＣ１０の所定のインターフェース（たとえばＵＳＢ）に接続されている。
【００３８】
また、図６において符号３９は前述のＣＣＤカメラである。ＣＣＤカメラ３９はＡ／Ｄ変換回路３９ａを介してＣＰＵ４１のＩ／Ｏポートに接続されている。
【００３９】
一方、図７では、ＣＣＤカメラ３９のかわりにＵＳＢカメラ５０を用いている。現在では、ＵＳＢカメラはＵＳＢバスに接続可能な製品が安価に提供されており、図６のようにＡ／Ｄ変換回路３９ａを介してカメラユニットとしてのＣＣＤカメラ３９を接続するよりもシステムを安価に構成できる可能性がある。
【００４０】
ＰＣ１０とのインターフェースは、図６ではＵＳＢ（２．０）４７であるが、図７ではＵＳＢ（２．０）ハブ４８を介してＰＣ１０、およびＵＳＢカメラ５０が接続され、制御部３４内のＣＰＵ４１とＵＳＢ（２．０）４７の間をＵＳＢ（１．１）を介して接続している。図７のような構成により、ＣＰＵやその周辺のチップセット品種などにより対応可能なＵＳＢのバージョンが限定されている場合でも、ＵＳＢバージョンを整合させて機器および回路ブロック間を接続することができる。
【００４１】
図６、図７において符号５２は上記の各回路ブロックに電源を供給する電源部である。電源部５２は、リレー３３の端子Ｃ２から入力される商用交流を整流、平滑、さらに安定化して得た直流電圧を上記の各回路ブロックに供給する。
【００４２】
図８に視野計ドーム２０の制御部３４のＣＰＵ４１が実行する情報処理の流れを示す。
【００４３】
図８のステップＳ１では、リレー３３から電源部５２に給電が開始されたか否かの判定ステップである。このステップＳ１は図３の構成では単にリレー３３から電源部５２への給電開始処理となるが、後述のＵＳＢ規格やＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）規格に基づき、周辺機器としての視野計ドーム２０をサスペンド／レジュームさせる構成においては、待機電源により動作するＣＰＵ４１ないし周辺のチップセットが給電開始を検出する。
【００４４】
ステップＳ２では各部の初期化を行ない、ＲＯＭ４４に格納された前述のＬＥＤ輝度補正データを読み出し、ステップＳ３においてあらかじめ定められた所定のプロトコルに基づきＰＣ１０に送信する。
【００４５】
ステップＳ４以降でＰＣ１０との間の通信が開始される。ステップＳ４ではＰＣ１０からコマンドを待ち、ＰＣ１０からコマンドを受信すると、ステップＳ５で受信したコマンドに対応する処理を実行することにより視野測定処理を行なう。これに並行して、所定のフレームレートでＣＣＤカメラ３９あるいはＵＳＢカメラ５０により取得した画像をＰＣ１０に送信する。
【００４６】
ステップＳ６の動作停止は、図３の構成においてはリレー３３から電源部５２への給電停止により行なうが、後述のＵＳＢ規格やＡＣＰＩ規格に基づき周辺機器としての視野計ドーム２０をサスペンド／レジュームさせる構成においては、ＣＰＵ４１あるいはそのチップセットの制御によりレジュームに必要な部材を除く他の構成回路に対する電源供給を停止することにより行なう。
【００４７】
外部の制御端末とともに動作する電子機器としての視野計ドーム２０を以上のように構成することにより、ＰＣ１０および視野計ドーム２０を含む自動視野計システムの電源の管理を容易に行なえるようになる。
【００４８】
すなわち、視野計ドーム２０側からＰＣ１０（あるいはさらに他の周辺機器）に給電できるようにしたので、余計なテーブルタップなどを用いずに自動視野計システム全体の電源ケーブルをすっきりとまとめることができる。
【００４９】
また、図３のように絶縁トランス３２を通したＡＣ電源をＰＣ１０（あるいはさらに他の周辺機器）に給電できるようにしたので、単体の絶縁トランスを別途購入する必要なく、自動視野計システム全体の電源を容易かつ適切な仕様に統一することができ、他の機器に影響を与えるおそれがない。
【００５０】
さらに、図３のようにＰＣ１０と、視野計ドーム２０（あるいはさらに他の周辺機器）の電源を連動させることにより、自動視野計システムの電源管理は非常に容易になり、自動視野計システムの各部の電源の切り忘れを防止することができる。図３のような連動手段は電流検出回路とリレー（あるいはさらに必要であればタイマなど）により容易に実施できる。
【００５１】
さらに、図８に示したように、視野計ドーム２０から電源起動に応じてあらかじめＲＯＭ４４に格納した輝度補正データ（視標呈示輝度補正データ）を送信し、ＰＣ１０でこの輝度補正データに基づきＬＥＤ輝度を設定するコマンドを送信することにより、背景輝度制御用のＬＥＤ２４、あるいはさらに視野測定用ＬＥＤ３６の点灯輝度を視野測定の基準に合せて確実に制御することができる。
【００５２】
特に、本発明では、視野計ドーム２０は自動視野計システムの一部を構成し、しかも視野測定の主要な情報処理を行なうための主要ハードウェアであるが、一方でＰＣ１０の周辺機器としての側面を持つ。
【００５３】
サービスアウトレット自体は古くより公知であるが、制御端末に給電するために周辺機器側にサービスアウトレットを設ける構造は知られていない。したがって、本発明には制御端末に給電するために周辺機器側にサービスアウトレットを設ける基本構成を採用した点で大きな発想の転換がある。
【００５４】
なお、制御端末としてのＰＣ１０と、このＰＣ１０の制御を受け自動視野計システムの主要部として動作する視野計ドーム２０（あるいはさらに他の周辺機器）の電源を連動させるには、図３のような構成に限定されるものではなく、種々の手法がある。
【００５５】
たとえば、ＵＳＢ規格やＡＣＰＩ規格には、周辺機器をサスペンド／レジュームさせる規定が含まれており、このようなインターフェースに基づきＵＳＢ経由でＰＣ１０側から視野計ドーム２０（あるいはさらに他の周辺機器）をサスペンド／レジュームさせるようにしてもよい。たとえば、視野計ドーム２０（あるいはさらに他の周辺機器）を、ＰＣ１０側の自動視野測定プログラムが終了するときにＵＳＢ経由で自動的にサスペンドさせ、また、ＰＣ１０側の自動視野測定プログラムの起動時にレジュームさせるようにしてもよい。これにより、システム全体の電源をさらに効率よく連動制御することができる。
【００５６】
【発明の効果】
以上の説明から明らかなように、本発明によれば、被検眼の視野測定処理を行なう視野測定システムに含まれ、外部の制御端末からの制御に基づき前記視野測定処理の主要部分を実行する電子機器において、前記視野測定処理の主要部分として前記制御端末からの制御に基づき視野測定のための視標呈示制御を行なうことにより前記視野測定システム全体を自動視野計として動作させる制御部と、商用電源から入力した商用電源電圧を前記制御端末に対して供給するサービスアウトレットと、前記サービスアウトレットから前記制御端末へ給電される電流値を検出する電流検出回路を有し、前記電流検出回路を介して検出される電流値に応じて前記制御部を動作させる電源部への給電を制御する構成を採用しているので、制御端末および電子機器から構成される視野測定システム全体の電源の管理を容易に行なえ、視野測定システム全体を適切に運用できる、という優れた効果が得られる。
【図面の簡単な説明】
【図１】本発明を採用した自動視野計の全体構成を示した説明図である。
【図２】図１の視野計ドームの構成を示した説明図である。
【図３】図１の視野計ドームの電源廻りの構成を示した説明図である。
【図４】図１の視野計ドームの視野ドームの構成を示した説明図である。
【図５】図１の視野計ドームの視野ドームの構成を示した説明図である。
【図６】図１の自動視野計の制御系の構成を示した説明図である。
【図７】図１の自動視野計の制御系の異なる構成を示した説明図である。
【図８】図６あるいは図７のＣＰＵが実行する情報処理手順を示した説明図である。
【符号の説明】
１  検者
２  被検者
１０  ＰＣ
１１  マウス
１２  プリンタ
１３  モニタ
１５  ディスプレイ
１６  キーボード
２０  視野計ドーム
２０ｂ  開口部
２１、２２  サービスアウトレット
２３  内部ドーム
２４  ＬＥＤ（背景輝度制御用）
２５  額当て
２６  あご台
２７  補正レンズ枠
３０  応答スイッチ
３１  プラグ
３２  絶縁トランス
３３  リレー
３５  電流検出回路
３６  ＬＥＤ（視標提示用）
３８  ドーム基部
３９  ＣＣＤカメラ
４１  ＣＰＵ
４２  あご台スイッチ
４３  補正レンズスイッチ
４４  ＲＯＭ
４５  ＬＥＤ駆動部
４６  ＬＥＤコントロール部
４７  ＵＳＢ（２．０）
５１  ＵＳＢコネクタ
５２  電源部
【図１】
0003958958.tif 000002
【図２】
0003958958.tif 000003
【図３】
0003958958.tif 000004
【図４】
0003958958.tif 000005
【図５】
0003958958.tif 000006
【図６】
0003958958.tif 000007
【図７】
0003958958.tif 000008
【図８】
0003958958.tif 000009